(57)【要約】  【課題】  コンパクトであり、且つ剛性が高く、予圧をかけることも可能な両持ち式圧延機を提供する。  【解決手段】  圧延ロール用軸受を内蔵する上下のベアリングハウジング６〜９をタイロッド１９が貫通し、このタイロッド１９の上下のいずれかの端側に油圧シリンダ２３が備えられ、前記上下のベアリングハウジング６と８、７と９間に圧延ロール４、５の隙間を調整するロール隙間調整手段１８が配設され、更に、このロール隙間調整手段１８を前記タイロッド１９に係合させるとともに、タイロッド１９を回転させる駆動手段３１を設けてなる。  【選択図】        図１
2006136919.tif 000002
【特許請求の範囲】
【請求項１】
両持ち式圧延機において、圧延ロール用軸受を内蔵する上下のベアリングハウジングをタイロッドが貫通し、このタイロッドの上下のいずれかの端側に油圧シリンダが備えられ、前記上下のベアリングハウジング間に圧延ロールの隙間を調整するロール隙間調整手段が配設され、更に、このロール隙間調整手段を前記タイロッドに係合させるとともに、タイロッドを回転させる駆動手段を設けてなることを特徴とする両持ち式圧延機。
【請求項２】
ロール隙間調整手段が、スクリューネジ方式であって、スタンドに固定され上部と下部が逆ネジに形成されたナットと、そのナットに貫通させて設けられたタイロッドの上部側と下部側に設けられるとともに、前記ナットの上部と下部の逆ネジに対応して噛み合うように設けられた上部側と下部側とで逆ネジの各スクリューとを備えてなる請求項１に記載の両持ち式圧延機。
【発明の詳細な説明】
【技術分野】
【０００１】
本発明は、棒鋼、帯鋼、線材などを圧延するための両持ち式圧延機に関し、詳細には、上下１対のワークロールの両端をベアリングハウジングでそれぞれ支持し、その両端それぞれの上下のベアリングハウジングを直接タイロッドで連結した構造の所謂ハウジングレス圧延機に関するものである。
【背景技術】
【０００２】
通常の両持ち式圧延機は、ロール、ベアリングハウジング、ロールスタンド（ハウジング）、圧下装置、駆動装置で構成され、これは構造がシンプルであり、最も普及した圧延機である。これに対し、別タイプの圧延機として上下のベアリングチョックを直接タイロッドで連結した圧延機がある。この圧延機は前記のロールスタンドを省くことができ、コンパクトな圧延機である。この種のタイプをハウジングレス圧延機と呼ぶ。本発明は、このハウジングレス圧延機に係わるものであって、例えば、特開平１１−１６９９２４号公報（特許文献１）などに開示されている。
【０００３】
特許文献１に開示のものは、その特許請求の範囲に記載されているように、スタンド（１４，１５）に取り付けられた少なくとも一対の圧延シリンダ（１２，１３）を有し、圧延シリンダ（１２，１３）相互間の隙間（加工ギャップ）（１７）がネジ（１８）と親ネジ（２１）から成るシステムによって調整され、圧延シリンダの油圧式予荷重システムが隙間（１７）の調整後に作用するようになった形式の高温圧延棒鋼製造用圧延ケージにおいて、圧延シリンダ（１２，１３）の油圧式予荷重システムは、相対的な摺動動作が可能な状態でスタンド（１４，１５）を横切って延びる複数のロッド（２７）を有し、各ロッド（２７）は一端（２８）が、スタンド（１４）にしっかりと取り付けられ、他端は、スタンド（１４）と反対側のスタンド（１５）に取り付けられた油圧シリンダ（３０）の内部に運動自在に設けられたピストン（２９）を備え、ロッド（２７）は、圧延トルクに対抗する機能を果たすように構成されたケージである。
【０００４】
ところで、一般に圧延機は圧延により、圧延荷重が発生しワークロールのロール間隙が僅かながら変化する。このミル剛性が低いと、圧延温度のムラで圧延荷重が変動し、圧延後の材料寸法も変化する。圧延の最終パスで製品に仕上る場合、このミル剛性が低いと品質（製品の寸法精度）の良い製品を製造できない。
【０００５】
一方、圧延機の剛性（ミル剛性）を高くするためには圧延時弾性変形する部位の剛性を高めていく必要があるが、部材をむやみに大きくすると経済性で劣るため、コンパクトにして剛性の高い圧延機が求められている。
【０００６】
しかしながら、上記特許文献１に開示の圧延機では、スタンド（１４，１５）を横切って延びる複数のロッド（２７）でスタンド（１４）とスタンド（１５）を連結し、これによりハウジングレス圧延機構造としたものであるが、ロッド（２７）と油圧シリンダ（３０）を具備する予圧装置と、ネジ（１８）と親ネジ（２１）を具備する圧下装置とを別々に備える構成としているため、コンパクト性に劣るとともに、設備コストアップや圧延ラインの短縮化を妨げるなど経済性も劣る。また、予圧をかけているが、ワークロールのロール中心から圧下ネジまでの距離が長く、上下のネジ間の距離も長いため、ミル剛性の向上効果は少ない。
【特許文献１】特開平１１−１６９９２４号公報
【発明の開示】
【発明が解決しようとする課題】
【０００７】
本発明は、上記の事情を基になしたものであって、その目的は、コンパクトであり、且つ剛性が高く、予圧をかけることも可能な両持ち式圧延機を提供するものである。
【課題を解決するための手段】
【０００８】
上記の目的を達成するために、本発明（請求項１）に係る両持ち式圧延機は、圧延ロール用軸受を内蔵する上下のベアリングハウジングをタイロッドが貫通し、このタイロッドの上下のいずれかの端側に油圧シリンダが備えられ、前記上下のベアリングハウジング間に圧延ロールの隙間を調整するロール隙間調整手段が配設され、更に、このロール隙間調整手段を前記タイロッドに係合させるとともに、タイロッドを回転させる駆動手段を設けてなるものである。
【０００９】
上記構成では、タイロッドがロール隙間調整手段と係合するように設けられ、そのロール隙間調整手段が上下ワークロールの中間位置に配置されているので、ワークロールの中心から圧下手段までの距離が短くなり、ベアリングハウジングの剛性アップと共にコンパクトな圧延機に構成できる。また、タイロッドは駆動手段により回転するので、圧下手段（ロール隙間調整手段）の駆動源とすることができるとともに、複数対あるタイロッドを、動力伝達機構を介在させて１つの駆動手段で容易に操作できる。また、圧下手段（ロール隙間調整手段）は圧延機の中央に配設されるが、その駆動手段は設備環境の良い圧延機の上方に設置されることになる。また、タイロッドの上下のいずれかの端側に油圧シリンダを備えているので、この油圧シリンダで圧延荷重より大きな推力でタイロッド端部とベアリングハウジング間に予圧をかけることができる。
【００１０】
また、本発明（請求項２）に係る両持ち式圧延機は、上記請求項１に記載の両持ち式圧延機において、ロール隙間調整手段が、スクリューネジ方式であって、スタンドに固定され上部と下部が逆ネジに形成されたナットと、そのナットに貫通させて設けられたタイロッドの上部側と下部側に設けられるとともに、前記ナットの上部と下部の逆ネジに対応して噛み合うように設けられた上部側と下部側とで逆ネジの各スクリューとを備えてなるものである。
【００１１】
上記のように構成することにより、請求項１の発明の作用効果に加えて更に、タイロッドの上下のいずれかの端側に油圧シリンダを備えており、この油圧シリンダで圧延荷重より大きな推力でタイロッド端部とベアリングハウジング間に予圧をかけることができるので、スクリューネジのガタを圧延前になくし、圧延による隙間の広がり（ミルジャンプ）を抑えることができる。
【発明の効果】
【００１２】
以上説明したように、本発明に係る両持ち式圧延機によれば、コンパクトな構成でもって、且つ剛性を高めることができる上に、予圧をかけることも可能な圧延機とすることができる。
【発明を実施するための最良の形態】
【００１３】
以下、本発明の実施形態を図面に基づいて説明する。図１は、本発明に係る両持ち式圧延機の左半分断面視側面図、図２は、図１のタイロッド駆動装置を除いて示す平面図である。なお、以下の説明において、駆動側とはワークロールを図示省略する駆動モータに連結する側を指し、作業側とは反駆動側を指す。
【００１４】
圧延機は、スタンド架台１上に駆動側ガイドスタンド２及び作業側ガイドスタンド３が、圧延ラインに沿って一定間隔をおいて駆動側と作業側とで各２本ずつ立設されており、２本の駆動側ガイドスタンド２の間及び２本の作業側ガイドスタンド３の間のそれぞれには、上下のワークロール４、５がそれぞれの両側に取付けたベアリングハウジング６〜９を上下方向に摺動可能に収容して設けられる構成となっている。
【００１５】
駆動側ガイドスタンド２は、断面略Ｔ字状のフレーム構造であって、上下方向の内側中央部に後記するナット２７を固定するための受台１０が固定されている。また、作業側ガイドスタンド３は、前記駆動側ガイドスタンド２と同構造のフレーム構造に加えて、断面略Ｔ字状のフレームの端部に、ワークロール４、５が軸方向に移動するのを規制するための押え板１１を押えボルト１２で押圧固定するためのフレーム板１３が設けられている。
【００１６】
駆動側ベアリングハウジング６、８と作業側ベアリングハウジング７、９は、何れも同様の構造のものであって、ハウジング本体１４と、そのハウジング本体１４の圧延方向の前後面に貫通孔１５を有するフランジ部１６、１７とを備えて構成され、ワークロール４、５の両側の軸部に取付けた軸受（ベアリング）をハウジング本体１４内に収容して、ワークロール４、５の両側の軸部に取付けられる。
【００１７】
上記のようにして駆動側ベアリングハウジング６と作業側ベアリングハウジング７を取付けた上ワークロール４及び駆動側ベアリングハウジング８と作業側ベアリングハウジング９を取付けた下ワークロール５は、ハウジング本体１４の前後に設けたフランジ部１６、１７の貫通孔１５を、中央部にロール隙間調整手段１８を備えるタイロッド１９の上側と下側のそれぞれより挿入した後、下ワークロール５の前後のフランジ部１６、１７の下面側はワッシャ２０とダブルナット２１、２２を設けて固定し、一方、上ワークロール４の前後のフランジ部１６、１７の上面側は、更に予圧用の中空式油圧シリンダ２３を設けた後に同様にワッシャ２０とダブルナット２１、２２を設けて固定する。これにより、上下のワークロール４、５のセッティングが行われる。
【００１８】
タイロッド１９の中央部に設けたロール隙間調整手段１８は、本例では、タイロッド１９の中央部に設けたスプライン軸２４と、内周面にこのスプライン軸２４に噛み合うスプラインが形成され、外周面に左ネジが形成された上スクリュー２５と、内周面に前記スプライン軸２４に噛み合うスプラインが形成され、外周面に右ネジが形成された下スクリュー２６と、上下のスクリュー２５と２６とを上、下のそれぞれに螺合して有するナット２７とで構成されている。そして、ナット２７の外周に突出して形成したフランジ部２８を、駆動側ガイドスタンド２と作業側ガイドスタンド３のそれぞれの内側中央部に設けた受台１０に固定金具２９とコッタ３０を介在させて固定可能なように構成されている。
【００１９】
圧延機の組付けは、以下のようにして行われる。まず、上述のようにして上下のワークロール４、５をタイロッド１９によりセッティングしたロール組立体を、スタンド架台１上に立設した２本の駆動側ガイドスタンド２と２本の作業側ガイドスタンド３の内空間に上方より装入する。次いで、作業側ガイドスタンド３のフレーム板１３に設けられている押え板１１と押えボルト１２によりワークロール４、５が軸方向に移動するのを規制するとともに、ナット２７の外周に突出して形成したフランジ部２８を、駆動側ガイドスタンド２と作業側ガイドスタンド３のそれぞれの内側中央部に設けた受台１０に固定金具２９とコッタ３０を介在させて固定し、更に、タイロッド１９の上端部にタイロッド駆動装置３１を連結して組付ける。なお、このタイロッド駆動装置３１は、４本のタイロッド１９のそれぞれに駆動モータを設けて駆動するようにしてもよいし、あるいは動力伝達機構を介在させて１台の駆動モータで駆動するようにしてもよい。
【００２０】
上記構成の圧延機では、タイロッド１９の中央部（上ワークロール４と下ワークロール５の間の高さ位置）に圧下手段（ロール隙間調整手段）１８を設けているので、ワークロール４、５の中心から圧下手段１８までの距離が短く、ベアリングハウジング８、９の剛性アップと共に圧延機自体がコンパクトな構成となっている。また、圧下手段（ロール隙間調整手段）１８は、タイロッド１９の中央部に配設されるが、その駆動装置３１は設備環境の良い圧延機の上方に設置されメンテナンス作業などが行いやすい。また、タイロッド１９の上端側に予圧用の油圧シリンダ２３を備えているので、この油圧シリンダ２３で圧延荷重より大きな推力でタイロッド１９端部とベアリングハウジング８、９間に予圧をかけることができる。
【図面の簡単な説明】
【００２１】
【図１】本発明に係る両持ち式圧延機の左半分断面視側面図である。
【図２】図１のタイロッド駆動装置を除いて示す平面図である。
【符号の説明】
【００２２】
１：スタンド架台        ２：駆動側ガイドスタンド
３：作業側ガイドスタンド                        ４：上ワークロール
５：下ワークロール      ６、８：駆動側ベアリングハウジング
７、９：作業側ベアリングハウジング            １０：受台
１１：押え板            １２：押えボルト        １３：フレーム板
１４：ハウジング本体    １５：貫通孔            １６、１７：フランジ部
１８：ロール隙間調整手段                        １９：タイロッド
２０：ワッシャ          ２１、２２：ナット      ２３：油圧シリンダ
２４：スプライン軸      ２５：上スクリュー      ２６：下スクリュー
２７：ナット            ２８：フランジ部        ２９：固定金具
３０：コッタ            ３１：タイロッド駆動装置
【図１】
2006136919.tif 000003
【図２】
2006136919.tif 000004